【手続補正書】
【提出日】平成29年7月5日(2017.7.5)
【手続補正１】
【補正対象書類名】明細書
【補正対象項目名】００２５
【補正方法】変更
【補正の内容】
【００２５】
図中、１４１は、不揮発性メモリ１４に記憶されている購入先情報１４３を使用するか否かを示す購入先情報フラグである。購入先情報１４３は、消耗品の購入先を示す情報である。購入先情報フラグ１４１は、「０」と「１」の２値をとり、「０」は記憶されている購入先情報１４３をクライアント装置２に使用させないことを示し、「１」は購入先情報１４３をクライアント装置２に使用させることを示す。印刷装置１は、購入先情報フラグ１４１が「１」であることを条件に、クライアント装置２に購入先情報１４３を提供する。詳細については後述する。
【手続補正２】
【補正対象書類名】明細書
【補正対象項目名】００３０
【補正方法】変更
【補正の内容】
【００３０】
図３はクライアント装置２の機能構成と接続を示す図である。特に、図３では、クライアント装置２のＣＰＵ２０１が、ＲＯＭ２０２あるいはディスク装置２０６に格納されているプログラムを読み出しＲＡＭ２０３上で実行することにより実現される機能群を示している。このように、クライアント装置２は、オペレーティングシステム（ＯＳ）上で動作するプログラムに基づいて制御が行われる情報処理装置である。
【手続補正３】
【補正対象書類名】明細書
【補正対象項目名】００４０
【補正方法】変更
【補正の内容】
【００４０】
印刷装置１が読出リクエストＳ４０１を受信すると、Ｓ５０１で、ＣＰＵ１１は、不揮発性メモリ１４の購入先情報フラグ１４１の値が「１」であるか否かを判定する。値が「１」である場合（Ｓ５０１でＹＥＳ）、Ｓ５０２で、ＣＰＵ１１は、購入先情報カウンタ１４２の値を９９で割ったあまりに１を加えた値を設定する。一方、フラグの値が「０」である場合（Ｓ５０１でＮＯ）、ＣＰＵ１１は、基本情報に含ませる値を「０」に設定する。その後、印刷装置１は、Ｓ５０２、Ｓ５０３において設定された値を購入先情報に関する基本情報として読出レスポンスＳ４０２に含めてクライアント装置２に返信する。
【手続補正４】
【補正対象書類名】明細書
【補正対象項目名】００５６
【補正方法】変更
【補正の内容】
【００５６】
Ｓ９０４で、ＣＰＵ２０１は、取得した購入先情報をブラウザ４１に引き渡して起動する。ブラウザ４１は、引き渡された購入先情報に基づいてサーバ装置３にＨＴＴＰリクエストを送信し、消耗品購入サービスの提供を受ける。ここで、取得した購入先情報が実在するか否かを判定し、実在しない場合には、再度、印刷装置１に記憶されている購入先情報の読出を行うようにしてもよい。また、購入先情報の読出のタイミングは、これに限定されない。例えば、サーバ装置３を介して購入操作を行った場合、印刷装置１でエラー（例えば、インク切れ）が発生した場合、印刷装置１のステータス確認（例えば、インク残量）を行った場合等の任意のタイミングで行うことができる。装置間におけるステータス確認や操作状態の確認は、一般的なポーリング、プル／プッシュ通知等の公知の技術を使用することができる。
【手続補正５】
【補正対象書類名】特許請求の範囲
【補正対象項目名】全文
【補正方法】変更
【補正の内容】
【特許請求の範囲】
【請求項１】
外部デバイスとの接続が可能な装置であって、
前記外部デバイスからのリクエストに応じて、当該装置に関するサービスを提供するサーバ装置に関する情報を設定する設定手段と、
前記設定手段により設定された前記サーバ装置に関する情報を送信する送信手段と
を備えることを特徴とする装置。
【請求項２】
前記サーバ装置に関する情報を記憶する記憶手段を更に備え、
前記送信手段は、前記記憶手段に記憶される前記サーバ装置に関する情報が変更されているか否かを示す情報を、前記サーバ装置に関する情報として前記外部デバイスへ送信する
ことを特徴とする請求項１に記載の装置。
【請求項３】
前記設定手段は、前記サーバ装置に関する情報として、前記サーバ装置へのアクセス情報と、前記アクセス情報を使用するか否かを示すフラグとを設定し、
前記記憶手段は、前記設定手段で設定される前記アクセス情報と前記フラグとを記憶し、
前記送信手段は、前記フラグを参照し、そのフラグの状態に基づいて、前記サーバ装置に関する情報が変更されているか否かを示す情報を、前記サーバ装置に関する情報として送信する
ことを特徴とする請求項２に記載の装置。
【請求項４】
前記外部デバイスからのリクエストに前記アクセス情報が含まれる場合、前記設定手段は、前記フラグの状態を該アクセス情報を使用することを示す値に設定するとともに、前記記憶手段は記憶しているアクセス情報を前記リクエストに含まれる前記アクセス情報で更新し、
前記外部デバイスからのリクエストに前記アクセス情報が含まれない場合、前記設定手段は、前記フラグの状態を該アクセス情報を使用しないことを示す値に設定するとともに、前記記憶手段は記憶しているアクセス情報をクリアする
ことを特徴とする請求項３に記載の装置。
【請求項５】
前記送信手段は、前記外部デバイスからのリクエストに応じて、前記サーバ装置に関する情報に基づいて前記サーバ装置へアクセスするための操作画面を前記外部デバイスで表示可能な画面情報を前記外部デバイスへ送信する
ことを特徴とする請求項１乃至４のいずれか１項に記載の装置。
【請求項６】
前記外部デバイスが利用する第１のサーバ装置に関する情報を管理する第２のサーバ装置へ当該装置を登録する登録手段を更に備え、
前記設定手段はさらに、前記登録手段で当該装置を登録した前記第２のサーバ装置に前記第１のサーバ装置に関する情報を設定することを特徴とする請求項１乃至５のいずれか１項に記載の装置。
【請求項７】
前記設定手段は、前記サーバ装置あるいは前記外部デバイスからのリクエストに応じて、あるいは当該装置の操作部に対する操作に応じて、前記サーバ装置に関する情報を設定する
ことを特徴とする請求項１乃至６のいずれか１項に記載の装置。
【請求項８】
当該装置は、Ｗｅｂサーバ機能を備え、
前記外部デバイスは、当該装置において前記Ｗｅｂサーバ機能によって動作するＷｅｂサーバへアクセスするためのＷｅｂブラウザを備える装置である
ことを特徴とする請求項１乃至７のいずれか１項に記載の装置。
【請求項９】
前記サーバ装置は、当該装置の消耗品の購入サービスを提供するサーバである
ことを特徴とする請求項１乃至８のいずれか１項に記載の装置。
【請求項１０】
前記装置は印刷装置であり、前記消耗品はインクである
ことを特徴とする請求項９に記載の装置。
【請求項１１】
前記装置は複数の外部デバイスとの接続が可能であり、
前記送信手段は、前記設定手段により設定された情報を当該複数の外部デバイスのそれぞれに送信する
ことを特徴とする請求項１乃至９のいずれか１項に記載の装置。
【請求項１２】
前記設定手段により設定された情報に従って前記サーバ装置にアクセスするアクセス手段を更に備える
ことを特徴とする請求項１乃至１１の何れか１項に記載の装置。
【請求項１３】
外部デバイスとの接続が可能な装置に情報を設定する方法であって、
前記外部デバイスからのリクエストに応じて、当該装置に関するサービスを提供するサーバ装置に関する情報を設定する設定工程と、
前記設定工程において設定された前記サーバ装置に関する情報を送信する送信工程と
を備えることを特徴とする方法。
【請求項１４】
コンピュータを、請求項１乃至１２のいずれか１項に記載の装置の各手段として機能させるための、または請求項１３に記載の方法をコンピュータに実行させるためのプログラム。
【手続補正６】
【補正対象書類名】図面
【補正対象項目名】図５
【補正方法】変更
【補正の内容】
【図５】
2016024729.tif 000001